(57)【要約】【課題】性能試験のために特別の移相回路を使用する必要のない２点給電型の受信回路を提供する。【解決手段】２点給電型円偏波パッチアンテナ１に接続される給電用の第一及び第二のストリップライン２、３と、第一及び第二のストリップライン２、３の相互の接続点に接続された低雑音増幅器４とを備え、第一のストリップライン２の長さを第二のストリップライン３の長さよりも円偏波の１／４波長に相当する分だけ長くし、第二のストリップライン３の長さを円偏波の１／３０波長に相当する長さ以下とした。【選択図】        図１
2005033353.tif 000002
【特許請求の範囲】
【請求項１】
２点給電型円偏波パッチアンテナに接続される給電用の第一及び第二のストリップラインと、前記第一及び第二のストリップラインの相互の接続点に接続された低雑音増幅器とを備え、前記第一のストリップラインの長さを前記第二のストリップラインの長さよりも前記円偏波の１／４波長に相当する分だけ長くし、前記第二のストリップラインの長さを前記円偏波の１／３０波長に相当する長さ以下としたことを特徴とする受信回路。
【請求項２】
２点給電型円偏波パッチアンテナに接続される給電用の第一及び第二のストリップラインと、前記第一及び第二のストリップラインの相互の接続点に接続された低雑音増幅器とを備え、前記第一のストリップラインの長さを前記第二のストリップラインの長さよりも前記円偏波の１／４波長に相当する分だけ長くし、前記第二のストリップラインの長さを前記円偏波の１／３０波長に相当する長さ以下とし、前記第一のストリップラインを介して前記低雑音増幅器に試験用の信号を入力したことを特徴とする受信回路の試験方法。
【発明の詳細な説明】
【０００１】
【発明の属する技術分野】
この発明は、２点給電型のパッチアンテナで受信した円偏波を受信する受信回路に関する。
【０００２】
【従来の技術】
２点給電型円偏波パッチアンテナに接続される従来の受信回路は図３のように構成されている。すなわち、パッチアンテナ１０に対して相互に直交する方向から給電回路２５及び２６を接続し、、給電回路２５を給電回路２６よりも円偏波の１／４波長に相当する分だけ電気長を長くしてＡ点で給電回路２６と合成し、信号源２７に接続している。信号源２７で搬送波を発生させ、給電回路２５及び２６を通して給電し、パッチアンテナ１０を励振すれば、直交方向で位相差を発生させることができるため、パッチアンテナ１０で左旋円偏波を発生させることができる、従って、信号源２７に受信回路を接続すれば、パッチアンテナ１０で左旋円偏波を受信して受信信号を受信回路に入力することが可能である（例えば特許文献１参照。）。
【０００３】
【特許文献１】
特開平０７−１７６９４４号公報（図３）
【０００４】
【発明が解決しようとする課題】
ところで、このような位相差のある二つの受信信号が入力される受信回路の性能等を試験する場合には、一般には図４に示すように評価測定用の信号源３０から出力される信号を９０°の位相差を作る移相回路３１を介して給電回路２５、２６に入力するようにしている。移相回路３１は二つのストリップライン３１ａ、３１ｂを有し、その長さの差は１／４波長である。そして、長い方のストリップライン３１ａが給電回路２６に接続され、短い方のストリップライン３１ｂが給電回路２５に接続される。この結果、信号源２７に接続された受信回路には合成された（位相が一致した）信号が入力される。
【０００５】
しかし、移相回路３１を使用することで、この部分の損失や各ストリップラインの長さのばらつきが測定結果に影響するという問題がある。
【０００６】
本発明は、性能試験のために特別の移相回路を使用する必要のない２点給電型の受信回路を提供することを目的とする。
【０００７】
【課題を解決するための手段】
本発明では、２点給電型円偏波パッチアンテナに接続される給電用の第一及び第二のストリップラインと、前記第一及び第二のストリップラインの相互の接続点に接続された低雑音増幅器とを備え、前記第一のストリップラインの長さを前記第二のストリップラインの長さよりも前記円偏波の１／４波長に相当する分だけ長くし、前記第二のストリップラインの長さを前記円偏波の１／３０波長に相当する長さ以下とした。
【０００８】
また、２点給電型円偏波パッチアンテナに接続される給電用の第一及び第二のストリップラインと、前記第一及び第二のストリップラインの相互の接続点に接続された低雑音増幅器とを備え、前記第一のストリップラインの長さを前記第二のストリップラインの長さよりも前記円偏波の１／４波長に相当する分だけ長くし、前記第二のストリップラインの長さを前記円偏波の１／３０波長に相当する長さ以下とし、前記第一のストリップラインを介して前記低雑音増幅器に試験用の信号を入力した。
【０００９】
【発明の実施の形態】
図１に従って本発明の受信回路を説明する。２点給電型の円偏波パッチアンテナ１は９０°の位相差を有する２信号を出力する。一方の信号は第一のマイクロストリップライン２の一端Ａに入力され、他方の信号は第二のマイクロストリップライン３の一端Ｂに入力される。第一のストリップライン２に入力される信号は第二のストリップライン３に入力される信号に対して位相が９０°進んでいる。第一のストリップライン２と第二のストリップライン３との他端同士は接続点Ｐで相互に接続される。ここで、第二のストリップライン３の長さ（ＢＰ）をＬとすれば、第一のストリップライン２の長さ（ＡＰ）は円偏波の１／４波長（電気長）の分だけ長く設定される。即ちＡＰ＝Ｌ＋λ／４である。
【００１０】
従って、第一のストリップライン２に入力された信号は第二のストリップライン３に入力された信号によりも９０°遅れて接続点Ｐに到達するので、接続点Ｐにおいては同位相となって合成される。ここで、第二のストリップライン３の長さＬはλ／３０以下となるように設定される。
【００１１】
そして、受信回路の性能を測定する場合にはパッチアンテナ１からの信号の代わりに信号源２０からの試験用信号を第一のマイクロストリップライン２の一端Ａに入力する。第二のマイクロストリップライン３の一端Ｂは開放とする。よって第二のマイクロストリップライン３はオープンスタブとなるが、その長さがλ／３０以下であるので、ミスマッチによる損失は０．０５ｄＢ以下に押さえられる。なお、第一及び第二のストリップライン２、３及び低雑音増幅器４等は比誘電率εｒが４．７程度の回路基板（板厚は約０．６ｍｍ）に構成されるが、円偏波の周波数が２．３ＧＨｚであればＬ＝２ｍｍ程度となる。
【００１２】
よって、第二のストリップライン３の長さをλ／３０以下にすれば第一のストリップライン２のみを介して試験用信号を入力してもほぼ正確な測定が行える。
【００１３】
【発明の効果】
以上説明したように、２点給電型円偏波パッチアンテナに接続される給電用の第一及び第二のストリップラインと、第一及び第二のストリップラインの相互の接続点に接続された低雑音増幅器とを備え、第一のストリップラインの長さを第二のストリップラインの長さよりも円偏波の１／４波長に相当する分だけ長くし、第二のストリップラインの長さを円偏波の１／３０波長に相当する長さ以下としたことで、第二のストリップラインによる損失が極めて小さくなるので、第二のストリップラインにのみ信号を入力して受信回路の評価測定ができる。
【００１４】
また、２点給電型円偏波パッチアンテナに接続される給電用の第一及び第二のストリップラインと、第一及び第二のストリップラインの相互の接続点に接続された低雑音増幅器とを備え、第一のストリップラインの長さを第二のストリップラインの長さよりも円偏波の１／４波長に相当する分だけ長くし、第二のストリップラインの長さを円偏波の１／３０波長に相当する長さ以下とし、第一のストリップラインを介して低雑音増幅器に試験用の信号を入力したので、移相回路を設けなくても測定が可能となる。
【図面の簡単な説明】
【図１】本発明の受信回路の構成図である。
【図２】本発明の受信回路の評価測定時の構成図である。
【図３】従来の受信回路の構成図である。
【図４】従来の受信回路の評価測定時の構成図である。
【符号の説明】
１  円偏波パッチアンテナ
２  第一のストリップライン
３  第二のストリップライン
４  低雑音増幅器
１０  測定用信号源
【図１】
2005033353.tif 000003
【図２】
2005033353.tif 000004
【図３】
2005033353.tif 000005
【図４】
2005033353.tif 000006